(57)【特許請求の範囲】
【請求項１】
目的地までの経路案内を行うナビゲーション装置と、ＥＴＣカードの装着によりＥＴＣによる料金支払ができるＥＴＣ車載器とを備え、ＥＴＣカードの有無に応じてＥＴＣに対応したＥＴＣ対応ゲートとＥＴＣに非対応の一般ゲートとを有する有料道路の走行レーンを案内するナビゲーションシステムにおいて、
ＥＴＣカードのカード番号を読み取るカード情報読取部と、ＥＴＣカードが有効期限内か否かを判別する判別部とを設け、ＥＴＣカードが前記カード情報読取部に装着されると、前記カード情報読取部が読み取ったＥＴＣカードのカード番号に基づいて前記判別部が判別した判別結果を判別結果記憶部に記憶し、該判別結果記憶部に記憶された判別結果に基づいて、ＥＴＣ対応ゲート又はＥＴＣ非対応ゲートの何れか一方の走行レーンを案内することを特徴とするナビゲーションシステム。
【請求項２】
ＥＴＣカードのカード番号と有効期限とを入力する操作部と、ＥＴＣカードのカード番号と有効期限とを対応付けて記憶する記憶部とを備えたことを特徴とする請求項１に記載のナビゲーションシステム。
【請求項３】
ＥＴＣカードに記録された有効期限を前記カード情報読取部により読み取ることを特徴とする請求項１に記載のナビゲーションシステム。
【請求項４】
ＥＴＣカードの装着によってＥＴＣによる料金支払ができるＥＴＣ車載器との間で通信を行う通信部を備え、ＥＴＣカードの有無に応じてＥＴＣに対応したＥＴＣ対応ゲートとＥＴＣに非対応の一般ゲートとを有する有料道路の走行レーンを案内するナビゲーション装置において、
ＥＴＣカードのカード番号と有効期限とを入力する操作部と、ＥＴＣカードのカード番号と有効期限とを対応付けて記憶する記憶部とを備え、ＥＴＣ車載器で検知されたＥＴＣカードのカード番号を受信して有効期限内のＥＴＣカードか否かを判別して判別結果記憶部に記憶し、該判別部記憶部に記憶された判別結果に基づいて、ＥＴＣ対応ゲート又はＥＴＣ非対応ゲートの何れか一方の走行レーンを案内することを特徴とするナビゲーション装置。
【発明の詳細な説明】
【技術分野】
【０００１】
本発明は、有料道路の走行レーンを案内するナビゲーション装置及びナビゲーションシステムに関する。
【背景技術】
【０００２】
従来のナビゲーションシステムは特許文献１に開示されている。このナビゲーションシステムはナビゲーション装置とＥＴＣ車載器とを備えている。ＥＴＣ車載器はＥＴＣカードの装着により有料道路に設けた路上アンテナと通信を行ってＥＴＣ（Electronic Toll Collection System）による料金支払を可能にする。
【０００３】
ナビゲーションシステムは有料道路の料金所の走行レーンをＥＴＣカードの有無に応じて案内する。即ち、ＥＴＣカードを装着して認識されている場合はＥＴＣに対応したＥＴＣ対応ゲートに案内する。ＥＴＣカードが認識されていない場合はＥＴＣに非対応の一般ゲートに案内する。これにより、運転者に走行レーンを知らせて円滑な走行をさせることができる。
【特許文献１】特開２００５−２９２０８４号公報（第５頁−第１０頁、第２図）
【発明の開示】
【発明が解決しようとする課題】
【０００４】
しかしながら、上記従来のナビゲーションシステムによると、有効期限が切れているＥＴＣカードをＥＴＣ車載器に装着した場合にＥＴＣ対応ゲートに案内される。このため、ゲートが開かずに、ゲートとの衝突や急停車による追突が生じる危険があり、安全性が低い問題があった。
【０００５】
本発明は、安全性を向上できるナビゲーション装置及びナビゲーションシステムを提供することを目的とする。
【課題を解決するための手段】
【０００６】
上記目的を達成するために本発明は、目的地までの経路案内を行うナビゲーション装置と、ＥＴＣカードの装着によりＥＴＣによる料金支払ができるＥＴＣ車載器とを備え、ＥＴＣカードの有無に応じてＥＴＣに対応したＥＴＣ対応ゲートとＥＴＣに非対応の一般ゲートとを有する有料道路の走行レーンを案内するナビゲーションシステムにおいて、
ＥＴＣカードのカード番号を読み取るカード情報読取部と、ＥＴＣカードが有効期限内か否かを判別する判別部とを設け、ＥＴＣカードが前記カード情報読取部に装着されると、前記カード情報読取部が読み取ったＥＴＣカードのカード番号に基づいて前記判別部が判別した判別結果を判別結果記憶部に記憶し、該判別結果記憶部に記憶された判別結果に基づいて、ＥＴＣ対応ゲート又はＥＴＣ非対応ゲートの何れか一方の走行レーンを案内することを特徴としている。
【０００７】
この構成によると、ＥＴＣ車載器にＥＴＣカードを装着するとカード情報読取部でカード番号が読み取られる。また、ＥＴＣカードの有効期限がＥＴＣカード自身や記憶装置に予め記憶され、カード番号に応じた有効期限を検索して有効期限内か否かが判別される。有料道路の料金所が近づいた際に、ＥＴＣカードが有効期限内の場合はＥＴＣ対応ゲートに走行レーンを案内表示する。ＥＴＣカードの有効期限が切れている場合は一般ゲートに走行レーンを案内表示する。
【０００８】
また本発明は、上記構成のナビゲーションシステムにおいて、ＥＴＣカードのカード番号と有効期限とを入力する操作部と、ＥＴＣカードのカード番号と有効期限とを対応付けて記憶する記憶部とを備えたことを特徴としている。この構成によると、ＥＴＣカードのカード番号と有効期限とが操作部で入力され、記憶部に記憶される。カード情報読取部でＥＴＣカードのカード番号が読み取られると、記憶部を検索してカード番号に応じた有効期限が検出される。記憶部及び操作部はナビゲーション装置に設けてもよく、ＥＴＣ車載器に設けてもよい。
【０００９】
また本発明は、上記構成のナビゲーションシステムにおいて、ＥＴＣカードに記録された有効期限を前記カード情報読取部により読み取ることを特徴としている。この構成によると、ＥＴＣ車載器にＥＴＣカードを装着するとカード情報読取部でカード番号及び有効期限が読み取られる。
【００１０】
また、本発明は、ＥＴＣカードの装着によってＥＴＣによる料金支払ができるＥＴＣ車載器との間で通信を行う通信部を備え、ＥＴＣカードの有無に応じてＥＴＣに対応したＥＴＣ対応ゲートとＥＴＣに非対応の一般ゲートとを有する有料道路の走行レーンを案内するナビゲーション装置において、
ＥＴＣカードのカード番号と有効期限とを入力する操作部と、ＥＴＣカードのカード番号と有効期限とを対応付けて記憶する記憶部とを備え、ＥＴＣ車載器で検知されたＥＴＣカードのカード番号を受信して有効期限内のＥＴＣカードか否かを判別して判別結果記憶部に記憶し、該判別部記憶部に記憶された判別結果に基づいて、ＥＴＣ対応ゲート又はＥＴＣ非対応ゲートの何れか一方の走行レーンを案内することを特徴としている。
【００１１】
この構成によると、ＥＴＣカードのカード番号と有効期限とが操作部で入力され、記憶部に記憶される。ＥＴＣ車載器に装着されたＥＴＣカードのカード番号を通信部で受信すると、カード番号に応じた有効期限の情報を記憶部から検索してＥＴＣカードが有効期限内か否かが判別される。有料道路の料金所が近づいた際に、ＥＴＣカードが有効期限内の場合はＥＴＣ対応ゲートに走行レーンを案内表示する。ＥＴＣカードの有効期限が切れている場合は一般ゲートに走行レーンを案内表示する。
【発明の効果】
【００１２】
本発明のナビゲーション装置及びナビゲーションシステムによると、有効期限内のＥＴＣカードの時にＥＴＣ対応ゲートに走行レーンを案内し、有効期限が切れたＥＴＣカードの時に一般ゲートに走行レーンを案内するので、ゲートとの衝突や急停車による追突を防止し、安全性を向上することができる。
【００１３】
また本発明のナビゲーション装置及びナビゲーションシステムによると、ＥＴＣカードのカード番号と有効期限とを入力する操作部と、ＥＴＣカードのカード番号と有効期限とを対応付けて記憶する記憶部とを備えたので、記憶部の検索によりＥＴＣカードの有効期限を簡単に判別することができる。
【００１４】
また本発明のナビゲーションシステムによると、ＥＴＣカードに記録された有効期限をカード情報読取部により読み取るので、ＥＴＣカードの有効期限を簡単に判別することができる。
【００１５】
また本発明のナビゲーション装置によると、ＥＴＣ車載器との間で通信を行う通信部を設けたので、通信部で受け取ったカード番号に基づいてＥＴＣカードの有効期限を簡単に判別することができる。
【発明を実施するための最良の形態】
【００１６】
以下に本発明の実施形態を図面を参照して説明する。図１は一実施形態のナビゲーションシステムの構成を示すブロック図である。ナビゲーションシステム１はナビゲーション装置１０及びＥＴＣ車載器２０から成っている。ナビゲーション装置１０はＣＰＵから成る制御部１１を有している。制御部１１には表示部１２、記憶部１３、通信部１４、操作部１５、現在位置検出部１６が接続される。
【００１７】
表示部１２は液晶パネル等から成り、地図や設定画面を表示する。記憶部１３はＲＡＭ、ＲＯＭ及びＨＤＤから成り、ナビゲーション装置１０の動作プログラムを記憶するとともに、制御部１１による演算結果を一時記憶する。動作プログラムを制御部１１が実行してナビゲーション装置１０の各部が制御される。また、記憶部３には地図情報や渋滞情報が記憶される。
【００１８】
通信部１４はＥＴＣ車載器２０の通信部２４と有線または無線により接続され、通信部２４との間でデータ通信を行う。操作部１５はリモートコントローラや表示部１２の表面に設けたタッチパネル等から成り、使用者による入力操作を行う。現在位置検出部１６はＧＰＳアンテナ１７を有したＧＰＳから成り、自車の現在位置を検出する。
【００１９】
ＥＴＣ車載器２０はＣＰＵから成る制御部２１を有している。制御部２１には表示部２２、記憶部２３、通信部２４、カード情報読取／書込部２６、カード装着部２７、カード装着検出部２８が接続される。表示部２２はＬＥＤ等から成り、電源入力状態やＥＴＣカード３０の装着状態等を表示する。記憶部２３はＲＡＭやＲＯＭ等から成り、ＥＴＣ車載器２０の動作プログラムを記憶するとともに、制御部２１による演算結果を一時記憶する。動作プログラムを制御部２１が実行してＥＴＣ車載器２０の各部が制御される。
【００２０】
通信部２４は前述したように、通信部２４との間でデータ通信を行う。また、通信部２４にはアンテナ２５が設けられ、有料道路に設けられるＥＴＣ用の路上アンテナとの間で通信を行う。
【００２１】
カード装着部２７はＥＴＣカード３０の着脱を行う。カード装着検出部２８はカード装着部２７にＥＴＣカード３０が装着されたか否かを検出する。カード情報読取／書込部２６（カード情報読取部）はＩＣカードから成るＥＴＣカード３０に記憶されたカード番号や車種等のカード情報を読み取る。また、カード情報読取／書込部２６は料金所の通過情報や料金情報等をＥＴＣカード３０に書き込む。
【００２２】
上記構成のナビゲーションシステム１において、ナビゲーション装置１０は操作部１５で入力された情報によって登録された目的地までの経路検索を行い、表示部１２の地図画面上に道路経路を表示して使用者を案内する。目的地は住所、電話番号、座標等を操作部１５で入力して特定され、記憶部１３に記憶して登録される。また、目的地は操作部１５で入力された文字列によって施設を検索して特定することができる。
【００２３】
ＥＴＣ車載器２０はＥＴＣカード３０の装着により有料道路に設けた路上アンテナと通信を行ってＥＴＣによる料金支払を可能にする。図２はＥＴＣカード３０を装着したときのカード検出処理の動作を示すフローチャートである。カード検出処理はＥＴＣ車載器２０の記憶部２３に格納される動作プログラムを呼び出して制御部２１によりステップ＃１１〜＃１６が実行される。また、ナビゲーション装置１０の記憶部１３に格納される動作プログラムを呼び出して制御部２１によりステップ＃２１〜＃２５が実行される。
【００２４】
ステップ＃１１ではカード装着部２７にＥＴＣカード３０が装着されるまで待機する。カード装着部２７にＥＴＣカード３０が装着されたことをカード装着検出部２８で検出するとステップ＃１２に移行する。ステップ＃１２ではカード情報読取／書込部２６によりＥＴＣカード３０のカード情報が読み取られ、カード番号を取得したか否かが判断される。
【００２５】
カード番号を取得した場合はステップ＃１３に移行し、「カードを認識しました」等のメッセージが音声により報知される。メッセージを表示部１４に表示してもよい。ステップ＃１４では通信部２４によりナビゲーション装置１０にカード番号が送信される。ステップ＃１２でカード番号を取得できなかった場合はステップ＃１５に移行し、「カードを認識できません」等のメッセージが音声により報知される。メッセージを表示部１４に表示してもよい。ステップ＃１６では通信部２４によりナビゲーション装置１０にＥＴＣカードを認識できなかった旨の情報が送信される。
【００２６】
ナビゲーション装置１０は通信部１４によりＥＴＣ車載器２０から受信した情報に応じた処理が行われる。ＥＴＣ車載器からカード番号を受信すると、ステップ＃２１が行われる。ステップ＃２１では受信したカード番号を記憶部１３内のデータから検索する。記憶部１３には、使用者により予め操作部１５で入力されたＥＴＣカード３０のカード番号及び有効期限が対応付けて記憶されている。
【００２７】
ステップ＃２２では通信部１４で受信したカード番号を記憶部１３から検出したか否かが判断される。通信部１４で受信したカード番号を記憶部１３から検出した場合はステップ＃２３に移行する。ステップ＃２３ではカード番号に対応付けられた有効期限を記憶部１３から取得し、ＥＴＣカード３０が有効期限内か否かが判断される。即ち、ステップ＃２３はＥＴＣカード３０が有効期限内か否かを判別する判別部を構成する。
【００２８】
ＥＴＣカード３０が有効期限内の場合はステップ＃２４に移行し、料金所でＥＴＣに対応したＥＴＣ対応ゲートに案内することを記憶部１３に記憶する。また、ステップ＃２２の判断により通信部１４で受信したカード番号を記憶部１３から検出されなかった場合は有効期限の入力操作が行われていない。このため、有効期限内と判断してステップ＃２４の処理が行われる。この時、有効期限内かどうか不明である旨のメッセージを表示部１４に表示してもよい。また、ＥＴＣカード３０のカード番号及び有効期限の入力画面を表示部１４に表示してもよい。
【００２９】
ステップ＃２３の判別部の判断によりＥＴＣカード３０の有効期限が切れている場合はステップ＃２５に移行し、料金所でＥＴＣに非対応の一般ゲートに案内することを記憶部１３に記憶する。また、ステップ＃１６でＥＴＣ車載器２０から送信されたＥＴＣカードを認識できなかった情報を受信した場合も同様にステップ＃２５の処理が行われる。
【００３０】
有料道路の走行中に料金所が近づいたことを現在位置検出部１６で検出すると、記憶部１３に記憶された情報に基づいて走行レーンを案内する。即ち、ステップ＃２４でＥＴＣ対応ゲートに案内することを記憶した場合は、図３に示す案内画面を表示部１４に表示する。これにより、ナビゲーションシステム１はＥＴＣ対応ゲートに走行レーンを案内する。また、ステップ＃２５で一般ゲートに案内することを記憶した場合は、図４に示す案内画面を表示部１４に表示する。これにより、ナビゲーションシステム１は一般ゲートに走行レーンを案内する。
【００３１】
本実施形態によると、有効期限内のＥＴＣカード３０の時にＥＴＣ対応ゲートに走行レーンを案内し、有効期限が切れたＥＴＣカード３０の時に一般ゲートに走行レーンを案内するので、ゲートとの衝突や急停車による追突を防止し、運転の安全性を向上することができる。
【００３２】
また、ＥＴＣカード３０のカード番号と有効期限とを入力して記憶部１３に記憶するので、記憶部１３の検索によりＥＴＣカードの有効期限を簡単に判別することができる。
【００３３】
またナビゲーション装置１０がＥＴＣ車載器２０との間で通信を行う通信部１４を備えるため、ＥＴＣ車載器２０からカード番号を受信することにより、ナビゲーション装置１０でＥＴＣカード３０の有効期限を簡単に判別することができる。従って、ＥＴＣ車載器２０がカード番号を送信できればメーカーや機種を問わずに本実施形態のナビゲーション装置１０と組合わせて上記の効果を得ることができる。
【００３４】
尚、本実施形態において、図２のステップ＃２１〜＃２５の一部または全部の処理をＥＴＣ車載器２０で行ってもよい。また、ＥＴＣカート３０のカード番号及び有効期限を入力する操作部をＥＴＣ車載器２０に設けてもよく、カード番号及び有効期限を記憶部２３に記憶してもよい。
【００３５】
また、ＥＴＣカード３０に有効期限が記録されている場合は、ステップ＃１２でカード情報読取／書込部２６により有効期限を読み取ってもよい。これにより、ステップ＃２１、＃２２を省いてＥＴＣカード３０の有効期限を簡単に判別することができる。
【産業上の利用可能性】
【００３６】
本発明は、有料道路の走行レーンを案内するナビゲーション装置及びナビゲーションシステムに利用することができる。
【図面の簡単な説明】
【００３７】
【図１】本発明の実施形態のナビゲーションシステムの構成を示すブロック図である。
【図２】本発明の実施形態のナビゲーションシステムのカード検出処理の動作を示すフローチャートである。
【図３】本発明の実施形態のナビゲーションシステムのＥＴＣ対応ゲートに案内する案内画面を示す図である。
【図４】本発明の実施形態のナビゲーションシステムの一般ゲートに案内する案内画面を示す図である。
【符号の説明】
【００３８】
１    ナビゲーションシステム
１０    ナビゲーション装置
１１、２１  制御部
１２、２２  表示部
１３、２３  記憶部
１４、２４  通信部
１５    操作部
１６    現在位置検出部
２０    ＥＴＣ車載器
２６    カード情報読取／書込部
２７    カード装着部
２８    カード装着検出部
３０    ＥＴＣカード
【図１】
0004684136.tif 000002
【図２】
0004684136.tif 000003
【図３】
0004684136.tif 000004
【図４】
0004684136.tif 000005